(57)【要約】      （修正有）【課題】電池切れの少ない多機能携帯電話装置を提供する。【解決手段】今までのブルーソーラーパネルを再開発し炭素とシリコンの合成シリコンの中央部分に軽水素ニッケル充電を内蔵する事で、炭素シリコンの太陽光吸収熱を軽水素が、熱吸収反応を起こして軽水素ニッケル発電を起こし更に炭素シリコン自体が、ブルソーラーパネルの今まで以上の太陽光熱吸収発電が出来るソーラーパネル装置を、携帯電話に内蔵する。【選択図】図１
2011205675.tif 000002
【特許請求の範囲】
【請求項１】
本先知的所有財産の先発明は、炭素ダイオードに軽水素ニッケルを内蔵させたソーラーパネル装置を内蔵させた携帯電話装置。
【請求項２】
本先知的所有財産の先発明は、二本のアンテナで、インターネット及び文字連絡などを一度に二つ折映像装置を使用した携帯電話装置。
【請求項３】
本先知的所有財産の先発明は、一つの映像パネルだけでなく二つ折れの映像パネル装置を使用した携帯電話装置。
【請求項４】
本先知的所有財産の先発明は、超薄型の固形窒素及びネオンガス及び電気の通るプラスチックを合成させたパネルとネオンガス入りの映像パネルを半分反射板のライト球を使用
したサイドライトによって偏向回路電気電波映像が写せれれる携帯電話装置。
【請求項５】
本先知的所有財産の先発明は、老人子供のための音声会話をレールモーター電磁石制御によってスロー携帯音声を聞かせる事が出来るレールモーター制御の携帯電話装置。
【請求項６】
本先知的所有財産の先発明の携帯電話カメラの前と後を一度に画像装置に写す事の出来る前後を一度にカメラ装置で写し出せる画像システムの携帯電話装置。
【請求項７】
本先知的所有財産の先発明は、携帯電話の電源を超薄型ダイナモ連続回転作動発電によって、多機能携帯電話の電源を確保出来る自動充電池内蔵携帯電話装置。
【請求項８】
本先知的所有財産の先発明は、外側の二つのモーター蓋付き超小型薄型のガス入りと固形ネオンガスパネルを使用した映像パネル装置を内蔵した補助画像パネルを備えた携帯電
話装置。
【請求項９】
本先知的所有財産の先発明はアタッチメント型のヒゲソリ装置が接続出来て、ヒゲソリとして携帯電話が、使用出来る装置。
【請求項１０】
本先知的所有財産の先発明は、アタッチメント型の電気歯ブラシ装置が接続出来て歯ブラシとして使用出来る装置。
【請求項１１】
本先知的所有財産の先発明は、超小型の2連MD装置を備えた携帯電話装置。
2008年6月9日AM5時51分52秒カレーの残りの朝食朝は晴れ、しょうが湯妙に効く。
【請求項１２】
本先知的所有財産の先発明は、多機能携帯を維持して行くための超小型の複数層の磁気記録ロングカードを携帯電話に備えた携帯電話装置。
【請求項１３】
本先知的所有財産の先発明は、携帯電話の超薄型の大型二つ折れ主画像装置は、ネオンガスと固形窒素と電気の通るプラスチックを混合合成した混合固形ネオンパネルにして偏
向回路電気電波が、通るようにネオンガス固形物質構造を電導しやすい電導体構造にしたネオン固形パネルのテレビ画像装置。
【請求項１４】
本先知的所有財産の先発明は、携帯電話の超薄型の大型二つ折れ主画像装置は、ネオンガスと固形窒素と電気の通るプラスチックを混合合成した混合固形ネオンパネルにネオン
ガスを入れてサイドつまり横からライトを照らして固形ネオンパネルに偏向回路プラス電気電波を通して更に固形ネオンパネルと0.8ミリ~1,3ミリ程の空間にネオンガスを入れ
てクリスタルガラスの端2ミリ程度の所に電気の通るプラスチックを溶着接着させた所に偏向回路マイナス電波を通す事で、映像をネオンガスと固形ネオンパネル両方のネオン
反応で、画像を写せる装置。
【請求項１５】
本先知的所有財産の先発明は、携帯電話の超薄型の大型二つ折れ主画像装置は、ネオンガスと固形窒素とネオンガスと電気の通るプラスチックを混合合成ペイパー膜と超薄型の
銅の穴空きペーパーと更に圧電素子の複数の正方形超薄型磁石の三種類のペーパーを電気の通る接着材で、固定定着させたテレビ画像を写し出せる装置であり、偏向回路プラス
電気電波を三種類ペイパー膜張り付けパネルにプラス電波を通して更にクリスタルガラスの内側の端のぐる輪2ミリ状に電気の通るプラスチックを接合して、偏向回路電気電波
のマイナス電波を流すわけだが、クリスタルガラス内側と固形ネオンパネルと0,8ミリ~1,3ミリ程度の空間にネオンガスを入れた超薄型の画像装置にサイドライトを取り付けた
携帯電話。
【請求項１６】
本先知的所有財産の先発明の映像信号電波に使用される電気は、電気中に初めから存在して入る熱抵抗電気を圧電素子磁石体の特開2004ー304992号広報技術の圧電素子4電子磁
気分割装置に生の電気を通す事で、磁気化した電気の磁気の強い部分の磁気電気だけ使用した映像信号電波電気によって奇麗に写し出せる超薄型のネオンガスと固形窒素ネオン
合成映像パネルの二つのネオン物質によって画像を写し出す事の出来る携帯電話装置。
【請求項１７】
本先知的所有財産の先発明の映像信号電波に使用される回路ICチップの説明として、画像ガス素子で、一般に多く使用されて入るネオンガスと充電池を混合合成した電気の通る
化合物に配線を取り付け絶縁体で化合物を保護した映像回路ICチップを、携帯電話映像装置に取り付ける事で、奇麗な画像を楽しむ事の出来る携帯電話映像装置。  
【請求項１８】
本先知的所有財産の先発明は、携帯電話の携帯電波を使用して家の中の水道栓の水をモーター電波スイッチ作動仕切り弁装置を取り付ける事によって冬の凍結地帯などの水道水
の水道栓の手作動作業の忘れからの水道凍結事故を起こす対策として、遠く離れた場所からでも、水道の水を水道栓を使用して落とす事の出来る携帯電話装置。
【請求項１９】
本知的所有財産の先発明は、携帯電話の携帯電波を使用して家の中のガス官のガスをモーター電波スイッチ作動モーター仕切り弁装置を取り付ける事によって子供のいたずらに
よるガス災害を未然に防ぐ対策として先考案された携帯電話の電波でガス官のガス栓に対してモーター携帯電波スイッチ作動モーター仕切り弁装置を取り付ける事によって、遥
か遠くの場所からでも、尚家のなかでは、コード電話を一度アンテナ電波に変える事で、全世界の電話の有る場所からならば電話装置で、ガスの元栓をモーター仕切り弁でガスを
止める事の出来る携帯電話又は置き電話によるガス栓自動ガス電話システム止め装置。
コメント
2008年6月9日AM8時55分37秒からここまでの分と昨日出来上がった光りフアイバーブラウン官テレビの先知的所有財産を、北海道知事に確認のため、美馬牛郵便局から6月9に送る
【請求項２０】
本先知的所有財産の先発明は、携帯電話の携帯電波を使用して家の中の風呂の水及び風呂水水位センサー風呂水満水を示した後の自動風呂水風呂水温度センサー管理までの風呂
水を風呂桶に入れる作業から始まる風呂焚きまでのシステムを携帯電話の電波受信ベルスイッチなど又はノーマル電波スイッチによって、全自動風呂焚きが出来る携帯電話装置。
【請求項２１】
本先知的所有財産の先発明は、携帯電話の携帯電波を使用して家の中の冷暖房装置を携帯電波で、部屋の温度設定を携帯電話電波ノーマルスイッチで部屋の温度設定し冷暖房作
動出来る携帯電話装置。
【請求項２２】
本先知的所有財産の先発明は、携帯電話の携帯電波を使用して家の中の冷暖房装置を携帯電波で部屋のビデオ装置のリモコン装置又はビデオにアンテナ装置を設ける事と携帯電
波ノーマルスイッチを取り付ける事で、ビデオと携帯電話が携帯電話インターネット電話回線で繋がりビデオの録画又は録画予約を携帯電話のボタンでテレビ録画操作出来る携
帯電話装置。
【請求項２３】
本先知的所有財産の先発明は、携帯電話の携帯電波を使用して付け洗い中で電源が入っていない全自動洗濯機を携帯電話のベルスイッチ又はノーマル電波スイッチによって全自
動洗濯機並びに家電製品の設定携帯電話ボタン操作作動出来る携帯電話装置。
【請求項２４】
本先知的所有財産の先発明は、携帯電話の携帯電波を使用して防犯テレビカメラの映像を見たりテレビの画像及び音声スピーカーを使用して、不法侵入者の犯罪を少なくさせる
ための防犯テレビカメラ操作を携帯電波のベルスイッチ又はノーマル電波スイッチの取り付け使用によって作動させる事の出来る携帯電話装置。                          
【請求項２５】
本先知的所有財産の先発明は、携帯電話の携帯電波を使用して電気自動車などの暖気運転及び冷房運転を携帯電話のベルスイッチ及びノーマル電波スイッチ取り付け作動によっ
て車の中を快適な状態に出来る携帯電話装置。
【請求項２６】
本先知的所有財産の先発明は、携帯電話の携帯電波を使用して海上を24時間遠方まで、見る事が出来る複数のアンテナ望遠鏡とレンズライトを組み合わせたアンテナ望遠鏡使用
した、津波又は台風波を全自動携帯電波観測出来る携帯電話装置。
【請求項２７】
本先知的所有財産の先発明は、携帯電話の携帯電波を使用して地震波観測装置に携帯電波のベル装置及びノーマル電波スイッチを地震観測計に取り付ける事で、地震波を携帯電
話連絡出来る携帯電話装置。                          
【請求項２８】
本先知的所有財産の先発明は、積雪地帯の道路積雪カメラ管理した瞬時のデーターを携帯電話のベルスイッチ又はノーマル電波スイッチで、ソーラーパネルセンサーライトカメ
ラデーターを携帯波を使用して携帯電話に画像送信出来る携帯電話装置。
本先知的所有財産の先発明は、湖及び川及び海底の状態を、衛生GPS位置確認及びGPS位置自動スクリューモーターGPS位置磁気素子体記憶自動修正装置及び海底段数ソナー衛生
水中GPS位置確認装置及び水中GPS位置磁気素子体記憶自動修正装置及び海底段数ソナー衛生水中GPS位置確認及び海底方向位置磁気素子体記憶装置によって、海底又は湖又は川の中のロボットカメラ画像を携帯電話で、見る事の出来る携帯電話装置。
【請求項２９】
本先知的所有財産の先発明は、山林及び火山ガス立ち入り禁止区域などの、風景を自動充電池を内蔵積載したGPS位置確認認識装置を積載したモーターリモコンヘリコプターで有
り更に、ソラーパネルセンサー装置のライトカメラによって、山林及び火山ガス地帯の上空の位置安定した場所からの映像を、携帯電波送信された携帯波を受信して、映像と音を
楽しむ事が出来る携帯電話装置。
【請求項３０】
本先知的所有財産の先発明は、水害水位連絡を、河川に錆止め材を施しグラスフアイバー鉄錆止め保護したH鋼及び同等の錆び止め保護したパイルパネルを差し込んで水害の水の
流れから、水位センサーを保護して 水害水位連絡を、自動充電池又は炭素シリコン軽水素ニッケルソーラーパネル電源使用の携帯電話のベルスイッチ又は携帯電話携帯波送受信
ノーマル波スイッチによって携帯電話連絡出来る携帯電話装置。
【請求項３１】
本先知的所有財産の先発明は、人型ロボット猫型ロボット犬型ロボットによる気象観測、地震磁波観測などの気象観測データーを携帯電話のベルスイッチ及び携帯電話携帯波のノーマル波、スイッチの送受信が出来る携帯電話装置。
2008年6月9日AM11時52分51秒昼飯にする美馬牛カンキチ墫野和夫。
2008年6月9日PM13時3分29秒夕食のおかずご飯は、容易出来たので再び多機能携帯を始める。
【請求項３２】
本先知的所有財産の先発明は、宇宙ロボット観察連絡装置のライトカメラ観測データーを無線波によって、複数の人口衛生を使用して地球上空の衛生から山岳ヘリコプターなど
の衛生電波を一時キャッチしたのを、携帯波電波に置き換えてから、携帯装置に宇宙画像及び宇宙音を、携帯電話に送つたり、宇宙の現在の様子を携帯電話で、見る事が出来る携帯
電話装置。
【請求項３３】
本先知的所有財産の先発明は、岸壁の多い道路などの大きい岩の崩れ予知対策として、自動電池内蔵のスプリングレールモーター電磁石スイッチと携帯電話送信装置が、内蔵され
ているため岩の傾きを、いち早くレールモーター電磁石センサーが、感知して、携帯電波を通じて携帯電話出来る携帯電話装置。
コメント
2008年6月12日AM8時23分47秒納豆朝食今朝は、快晴大雪山くっきり見える良い天気である。
最近になく朝の良い天気気持ち入れ替えてハッスルハッスルレッゴウゴウ墫野カンキチ
【発明の詳細な説明】
【技術分野】
【０００１】
本先知的所有財産の先発明は、一般家庭庶民が気軽に使用出来る多機能携帯電話装置に関する説明。
【背景技術】
【０００２】
従来の一般家庭庶民の携帯電話は、電池切れが起こるために、多機能構造しずらい充電池システムの携帯電話しかなかった。(特許文献1参照。)(特許文献2参照。)。
また、携帯電話の二つ面とも液晶なのは、日本に実在していなく片面液晶パネル画像の携帯は、実在していた。
そして外側は、小さな一つの補助画像パネルしか存在してなかった。
【０００３】
更にアンテナは、一本であり、データー容量の余り入らないカードが、有るだけで有り、カメラ装置では、一本の線上にまたがった裏表カメラ装置がないばかりか、単独の携帯カメラ装置はあった。
以下図1~図8までの従来の携帯電話との違いに付いて説明する。
図1に於いて(1)多機能携帯電話装置で有り、(21)自動充電池はダイナモ連続回転作動の発電充電池で有り更に(79)は炭素シリコン軽水素ニッケルソーラーパネルの電源なしでは、図4の電気歯ブラシ及び電気カミソリそして、図2の(8)2連超小型MDで有り、(9)は超細ロング磁気カードであるが、これら電気で作動する装置は、(21)自動充電池の連続発電電源
がなければ語る事の出来ない装置である。
そして、(2)は携帯電話のメールメッセージを、(3)携帯アンテナAそして(4)携帯アンテナBによって、二人共違った場所からの携帯電話送受信が出来る携帯としての特徴で有り、更に(6)は蝶々型外部画像装置カバーで有り、メッセージが入った時点で、蝶々型携帯のカバー表面の複数蝶々カラーが、光り出す。
そして、外部メッセージボタンは、文字連絡のみであり、ボタンによって蝶々の羽が携帯電話状開いた状態になる携帯電話外部メッセージ装置説明。
【０００４】
図2に於いて、(1)は多機能携帯で有り、(21)は自動充電池で有り、軽水素ニッケル充電池使用が特徴であり、(22)は古くからのモーターバイブレイションで有り、(8)は2連MD装置更に(9)は超細ロング磁気カードで有るが、(21)の自動充電池の電気消費を押さえるための(23)圧電素子4電子磁気分割装置で有り(11)は、二つ折れガス画像ダブル装置の画面切り替えボタン装置で有り(7)は二つ折れガス映像パネル装置説明で有る。
そして、(12)アドレス帳ボタンで有り、(13)はメールボタンで有り(15)携帯電話マイク装置で有り、(14)ゲーム切り替えボタンで有り(16)は、ゲーム左ボタンで有り(17)はゲーム上ボタンそして、(18)ゲームジャンプボタンで有り(19)ゲーム下ボタンで有り(20)ゲーム右ボタンの説明になる。
【０００５】
図3に於いて(1)多機能携帯電話は、(8)二連超小型MDで有り、省エネルギーレールモーター作動及び赤外線読み込み方式で有る。
そして(9)は、超細ロング磁気カードで有り(7)二つ折れガス映像パネルで有り(10)を介して蝶番装置によって(7)二つ折れガス映像パネルは、携帯電話市場一番広い画面になる。
そして、(24)は携帯スピーカー(25)自動充電池多機能装置プラス電極で有り(26)自動充電池多機能装置マイナス電極で有り、(27)電気カミソリ刃で有り(28)は電気カミソリモー
ター で有り、(29)電気カミソリモーター固定装置部分の説明になる。
【０００６】
図4において(1)多機能携帯装置の電動歯ブラシ装置の説明図である。 
そして(3)携帯アンテナAで有り(4)携帯アンテナBで有り(7)二つ折れガス映像パネルで有り(8)は2連超小型MDで有り、(9)は超薄ロング磁気カードで有り(21)は自動充電池で有り(22)は、バイブレイションモーターで有り(23)は自動充電池の電気消費率を押さえるための装置の圧電素子4電子磁気分割装置説明になる。(特許文献3参照。)。
【０００７】
図5においての(7)二つ折れガス映像パネルのタッチスイッチボタン説明に入る。  
従って(34)カメラ作動タッチスイッチボタンで有り(35)住所などの個人情報タッチスイッチボタンであって、身分証明書変わりにもなる。更に(36)自動充電池電気量確認タッチ
スイッチボタンで有り(37)文字メッセージタッチスイッチボタンで有り、(38)メロデー受信音選択機能タッチスイッチボタンであり、(39)留守番電話機能タッチスイッチボタン
で有り(40)災害時お知らせタッチスイッチボタンで有り(41)芸能時情報タッチスイッチボタンで有り(42)カード情報タッチスイッチボタンで有り(43)は、ゲーム紹介タッチスイ
ッチボタンで有り(44)仕事アルバイト紹介タッチスイツチボタンで有り(45)公共外国大使館紹介タッチスイッチボタンで有り、(46)ゲームタッチスイッチボタンで有り(47)時計機能タッチスイッチボタンで有り(48)電車バス飛行機時間早見表タッチスイッチボタンで有り(49)バイブ機能タッチスイッチボタンで有り(50)絵文字天気お知らせタッチスイ
ッチボタンで有り(51)山菜図鑑タッチスイッチボタンで有り(52)外国ショッピング案内タッチスイッチボタン(53)買い物卸値段早見タッチスイッチボタンで有り(54)誕生日結
婚記念日お知らせタッチスイッチボタンで有り(55)スケジュールメモ呼び出し機能タッチスイッチボタンで有り(56)地方旅館早見カードタッチスイッチボタンで有り(57)イン
ターネットタッチスイッチボタンで有り(58)JRA馬情報タッチスイッチボタン(59)お薬個人お知らせ連絡タッチスイッチボタンで有り(60)リハビリ時間連絡ボタン(61)携帯電話
家電システム点検タッチスイッチボタンで有り(62)携帯電話水道ガス風呂点検タッチスイッチボタンで有り(63)車始業点検タッチスイッチボタンで有り(64)ロボット点検タッ
チスイッチボタンこれらすべてのボタンは、テレビ画像面タッチスイッチボタン装置である。
更に、(1)多機能携帯電話の説明を図5に於いて続けて行う。
従って、(3)携帯アンテナAで有り、(4)携帯アンテナBで有り、(7)は二つ折れガス映像パネルで有り、(8)は2連結超小型MDであり、(9)超細ロング磁気カードで有り図5の携帯電話の数字番号説明。
コメント
2008年6月9日PM18時16分58秒蝉の声カッコウの声夕食時間そして休憩美馬牛カンキチ。
コメント
2008年6月9日PM18時41分58秒美馬牛散歩気分夕暮れ時微風カンキチ書
【０００８】
図6の説明に入る。図6は、水道官及び水道栓のアンテナ携帯波作動の水道管電動仕切り弁で有り、ガス官電動仕切り弁装置構造にもなる。従って、(65)携帯電波送受信アンテナ装置で有り、(66)レールモーターであり(67)は水道及びガス及び風呂水及び燃料及び床暖房及びスプリンクラー及び地下タンク水及び下水道官及び強制真空装置水瞬間気化物質消化装置及びエアーポスト及び動物通路でありそれぞれの電動仕切り弁装置でもある。
従ってもう一つの図6の説明をする。
岸壁崖の多い場所の大きい石の崩れる岩崩れ防止予知連絡装置で有り、(65)携帯電波送受信アンテナで有り(68)自動充電池Bの岩崩れ予知連絡装置で有る。
コメント
2008年6月10日AM10時16分58秒朝の7時頃から図面補正今までかかる美馬牛墫野
【０００９】
図7の説明に入る。図7の(69)ガステレビサイドライトAで有り(70)ガステレビサイドライトBこれらサイドライトは、図7の4箇所の角に配置予定としている。
更に(71)は固形窒素ネオン映像パネル装置は、固形窒素とネオンガスと電気の通るプラスチック混合合成パネルで有り、(73)映像信号のプラス偏向電気電波回路の配線が取り付けられている。(75)はクリスタルガラスで有り、(72)は電気の通る透明プラスチックを(75)クリスタルガラスの端ガス接触する部分に2ミリ程度接着又は溶着接着させたクリスタルガラスで有り、(74)偏向回路マイナス電波配線であり、(71)固形窒素ネオン合成映像パネルと(74)偏向回路マイナス電波配線とのネオンガス映像電波接触にて画像を写そうとする物である。ただしシャープ電気会社のバックライトとは、異なったライト技術となる。
そのため、超薄型のガス映像パネルは、ブラウン官を超薄型まで、薄くした技術説明である。
【００１０】
図8の説明に入る。図8の(70)はガステレビサイドライトBであり、(76)はサイドライトの半分ガラスの鏡部分装置にあたる。 そして、サイドライト(77)はサイドライトガラス部分であり、(78)はサイドガラステングステン装置で有る。このライトは、超薄型のガステレビのライトに使用するために、開発した先発明で有るが、自動車ライトなど、上にライト光が反射させないライト玉装置としても、世界中の需要が認められる小さな先発明技術であるが、安全には大きく貢献出来そうなライト玉装置である。
コメント
2008年6月10日PM13時19分8秒図面訂正補正に暇取り図9の途中から再び美馬牛でカンキチが書き始める。
【００１１】
図9の説明に入る図9の(71)固形窒素ネオン合成映像パネル装置に映像を写すためのノーマル映像信号波の(73)プラス偏向回路電気電波と(74)マイナス偏向回路電気電波を流す
事で、(80)固形窒素反射板ライト球の光りを持って(75)クリスタルガラスと(71)固形窒素ネオン合成映像パネルの空間に(89)のネオンガスを入れた画像ガスパネル装置。
【００１２】
図10の説明にはいる。図10のライト球は、テレビ画像パネルのサイドライト用に再開発したライト球であり、玉の上下に固形窒素内蔵の反射板装置を組み込んだライト玉装置。
【００１３】
図11の説明に入る。図10は、プロペラ用二連結以上モーター(実登3114491号登録実用新案広報参照。)。の(実用新案登録文献1参照。)。と(81)機械式発電機(特許文献1参照。)(特許文献2参照。)。これら電気エネルギーを効率良く使用するための装置圧電素子4電子磁気分割装置(特許文献3参照。)この圧電素子4電子磁気分割積載使用によって、更なる電気省エネルギー技術の確立によって特許切れの(82)GPS位置確認装置を位置安定装置にプロペラを使って実現して海上の無線波及び携帯波及び衛生波などを同時に捉える事の出来る装置で有り、更に複数の無害無給油連続ダイナモ作動発電機使用の山岳モーターヘリコプターを複数使用して、遠く離れた海上まで、無線波と携帯波又はテレビ波又はラジオ波などの電波を空中連続位置安定出来る電波中継システム基地装置を備えた無害無給油連続ダイナモ作動発電機積載の二連結以上モーター山岳ヘリコプター装置説明である。 
【００１４】
図12の説明に入る。図10携帯波及び無線波を複数ソナー波変換出来る装置で有り(84,85,)水中位置安定全自動位置修正装置を備えた装置は(87)水中段数ソナー波送受信装置で有
り自動充電池連続連絡装置で有る。
更に衛生GPS波を使って海底の水中ロボット及び水中作業車に複数ソナー無線波及び複数ソナー携帯波を正確に送る為に(87)の段数複数ソナー波送受信装置の構造として、山岳
ヘリコプターの(83)携帯電波又は無線波を複数にする作業が第一作業で有り、理由として(91)海上の段数ソナーが、海上で波に揉まれるのを予測して、一つの無線波と同じ無線波
を複数瞬時に容易して、複数の同じ無線波を海上の(91)海上段数複数ソナー波送受信装置の複数無線波キャッチ体に(81)の機械式発電機電気エネルギーの電波発射装置で送り、
何万メートル海中に無線波をソナー波に切り替えて送らなければ、電波は海底の底までは、届かない事実となる。
従って山岳ヘリコプターから、無線波などを複数ソナー波に瞬時に複数回線を使用して複数ソナー波送受信装置によって複数電波を接続して複数ソナー波を発生させて(21)自動
充電池内蔵の(91)の海上段数複数ソナー波送受信装置によって、複数ソナー波を発射出来る装置。
理由として、海中の潮の流れが速い場合(84)のGPS位置昇降スクリュー及び(85)のGPS位置修正スクリューの位置修正位置確認だけでは複数無線波及び複数ソナー波にしなければ
、電波キャッチ出来ない事情が、海の波及び海中の潮の世界にはGPS位置全自動修正装置でもなかなか位置安定しない場所が存在していたからである。
更に海底まで、届いた無線ソナー波を90度曲げるためには、一度ソナー波圧電素子体構造の磁石電波キャッチ体でキャッチした複数無線ソナー波を90度のサイドの複数ソナー波発射装置に配線を使用して海底地図に基ずいた方向の海底地図及びカメラ認識のロボットへソナー無線波及びソナー携帯波を送れる複数山岳ヘリコプターシステムの携帯ソナー波装置説明とする。  
【先行技術文献】
【特許文献】
【００１５】
【特許文献１】特開2006ー254697号広報  全レールモーター制御無害無給油発電機を使用した電気自動車
【００１６】
【特許文献２】特開2003ー328925号広報  真空装置と機械式発電機を使っただけの発電機
【００１７】
【特許文献３】特開2004ー304992号広報  電気抵抗を減らして電気を長持ちさせ電気製品に無理をかけない電気装置の有り方。
【００１８】
【特許文献４】特開2004ー304993号広報  一度に複数の電気配線と複数の電気コイルを持ち得た焼けないで力のあるモーターの有り型。
【００１９】
【特許文献５】特願2002ー331389号広報  自動充電池携帯
【非特許文献】
【００２０】
【非特許文献１】実登3114491号登録実用新案広報     二連結以上モーター
【発明の概要】
【発明が解決しようとする課題】
【００２１】
コメント
2008年6月10日PM15時47分35秒穏やかな晴れそして、美馬牛カンキチ2001年6月~7月書き忘れ無線波及び携帯波をソナー波変換して、水中人型ロボット使用又は水中ロボットカメ
ラの携帯画像使用に先考案してあった技術であるが、調べるのにも金がかかり過ぎる時代である。
以上に述べた従来の携帯電話は、多機能にした場合充電池の電池切れがすぐに始まり、携帯電話使用がおぼつかない事態を招くおそれが有り、一度に集める情報の収集の有り方に
問題点が数多くあった。
【００２２】
本発明は、このような従来の構成が有していた問題を解決使用とするものであり、自動充電池を主体てした発電池構造の携帯電話通話を目的とするもので有る。
2008年6月10日PM16時19分4秒再び伊藤ゆかりのCDを聞きながら頑張る事とする。
【課題を解決するための手段】
【００２３】
そして、本先知的所有財産の先発明は上記目的を達成するために、今までのブルーソーラーパネルを再開発し炭素とシリコンの合成シリコンの中央部分に軽水素ニッケル充電を
内蔵する事で、炭素シリコンの太陽光吸収熱を軽水素が、熱吸収反応を起こして軽水素ニッケル発電を起こし更に炭素シリコン自体が、ブルソーラーパネルの今まで以上の太陽光熱吸収発電が出来るソーラーパネル装置を、携帯電話に内蔵して補助電源として、更に振り子往復連続作動回転ダイナモ連続作動発電技術を、はっきり可能にした、圧電素子4電子磁気分割装置による、自動充電池の急速充電技術の活用によって多機能携帯電話装置を可能にした多機能携帯電話発電充電システムである。
【００２４】
また、第2の課題解決手段は、インターネツトの一度に複数情報収集するために、二本の携帯アンテナを使用して更に二つ折れの超薄型の映像パネルすなわち、固形窒素とネオンガスと電気の通るプラスチックを混合合成したテレビ画像ぱねるにサイドライト映写技術を使用しているのが、特徴である。
【００２５】
また、第3の課題解決手段は、携帯電話の外側に携帯電話補助ダブル映像パネル蝶々型などの夢の有る携帯は、超小型レールモーター技術によって、メール伝言を一度に二人別々に携帯波受信出来る携帯電話構造で有り、メールが、入った次点で、蝶々の羽部分のカラーライトが、蝶々色に輝いて二人それぞれのメールを、左右の補助超小型ガス映像パネルに文字及び映像連絡が出来る装置であって、メールを見る時には、蝶々型パネルメールボタンを押してメールと画像確認出来る装置。 
【００２６】
また、第4の課題解決手段は、自動充電池と炭素シリコン軽水素ニッケルソーラーパネルの発電短時間充電技術の確立によって、今まで不可能だった多機能携帯技術として、超小型二連MD技術は、連続したインターネツト電波使用を避けて、最新の音楽を超小型のMD赤外線音声読み込みノーマル波変換システムで、音楽が、再生されるのだが、圧電素子4電子磁気分割方式によって、2連MDは、省電気エネルギーレールモーター作動して、更にノーマル音声信号のノイズつまり、雑音除去装置として、ここでも圧電素子4電子磁気分割装置によって、音声信号がスピーカー音に変わった時の澄み切った音質で、聞くための対策として、インターネット音楽の磁波の乱れから生ずるインターネットノイズ又はラジオ電波ノイズを奇麗に圧電素子4電子磁気分割の磁気修正技術によって、インターネット音楽そして、映像を世界で一番美しくて澄み切った音質を提供出来るMD音声映像信号のノイズ取り除き技術とインターネット画像音楽電波の磁波圧電素子4電子磁気分割技術によって音波信号及び映像信号の磁波の乱れた電波を、圧電素子磁石修正技術で、全世界の人々により美しく澄み透った音質を届ける事を目的としている多機能携帯電話装置。
【００２７】
また、第5の課題解決手段は、第4の課題でも説明したが、自動充電池と炭素シリコン軽水素ニッケルソーラーパネル発電短時間充電の確立によって今まで不可能だった長時間から
無限携帯多機能使用時間が可能になったため、長時間の磁気カード読み込み使用によって、現在のインターネット使用料金を打開すべく超細磁気カードは、2001年当時のカードより長いカードを使用しているのが、特徴で有り安い料金の1円~5円の磁気カード情報提供料金などを思案中でも有る。ここでも、圧電素子4電子磁気分割装置の多機能携帯電話によって省電気エネルギー消費と磁気カードの圧電素子4電子磁気分割装置によって磁気カードノイズを取り除く事を目的としている多機能携帯電話装置。
【００２８】
また、第6の課題解決手段は、第4と第5の課題説明でも、登場した自動充電池と炭素シリコン軽水素ニッケルソーラーパネル発電短時間充電の確立によってアタッチメント方式の
ラジオ及び髭剃り及び歯ブラシなどのアタッチメントに電気を多機能携帯電話の自動充電池及び炭素シリコン軽水素ニケルソーラーパネルから電気を供給して作動出来る携帯
アタッチメント装置。
コメント
2008年6月10日PM19時10分20秒塚崎商店ビバハウスへコーラを買いに行くカンキチ。
2008年6月10日PM19時28分41秒久しぶりにアイスとコカコーラーを飲む。
【００２９】
また、第7の課題解決手段は、遠くまで買い物又は旅行に出掛けた時など、家のガスと水道の元栓の閉め忘れ、長旅の疲れを取る風呂の全自動携帯ボタン操作によるアンテナ水道仕切り弁の全自動開閉及び風呂の満水時の水位センサー全自動風呂ガス及び電気炊きによる携帯電話全自動ボタン操作による凍結時の水道の携帯電話ボタン操作によるアンテナ
電動仕切り弁装置の自動開閉などを行う事で、家事の負担をなくす事によって、家庭内のトラブルを少しでも無くす事によってより良い多機能携帯電話生活を送る事を目的とし
ている携帯電話装置。
コメント
2008年6月10日PM20時10分頃写真テレポーテイョン技術を使用すれば、津波のカメラ画像認識を使わない方法を今回はそう言う事とするのである。
【００３０】
また、第8の課題解決手段として、地震装置のアンテナ携帯電話機能スイッチ内蔵の地震波計測装置及び地震携帯電話震度先連絡及び津波危険高さ複数桶型時間水量計算方式津波
高さ計算方法の携帯電波スイッチの全自動携帯連絡装置の津波連絡装置又は避雷針のオバー電気感知アース電気抵抗配線圧電素子4電子磁気分割装置充電池充電スイッチの携帯
電話機能スイッチただし装置は大きくなる事を想定している装置など、最後の火事に対しての携帯電話対策として、カメラのダイオードセンサーによって、火が付いてからのカメラダイオードアンテナ携帯電話スイッチ連絡そして、火が燻り出してからの煙りセンサーアンテナ携帯電話スイッチ連絡によって、早い初期消化など、地震及び雷及び火事及び介護カメラ携帯電話連絡が全自動携帯波連絡出来る多機能携帯電話装置。
【００３１】
第9の課題解決手段として、インターネット情報接続の際にインターネット情報を送る側の電気消費が大きすぎて多額の電気代によって、インターネット料金の吊り上げ状態は明
白な事に対しての対策として、圧電素子4電子磁気分割の使用によって、電気使用量の省電気消費エネルギー対策を取ったり、電気使用は機械式発電機などの無害無給油発電機の
電気発電エネルギー使用対策によってインターネット月額最高額1000円の時代などの夢を見る事を考え更に二つ折れガス影像パネルのタッチパネル及び図2の(11)の画面切り替
えボタンを押す事によって、図5の32種類の項目別電話機能を呼び出して図2のゲーム切り替えボタン又は携帯右サイドボタンの追加考案などの処理によって、多機能携帯項目と
して説明を始める。
従って、図5の34~64までのボタン説明を始める。
上記ボタン説明として、(34)カメラスイッチに対して前後を一度に画像装置に写し出したり、携帯電波で画像と音を送る事の出来るカメラ装置。(35)住所スイッチは、個人情報が、入っていて、携帯電話盗難は、携帯電話GPS位置によって電話の返却が可能になり、事故などの時の身分確認に有る一定の個人情報公開は、公共に貢献出来る装置であり、(36)自動充電池電気量確認として、現在の軽水素ニッケル充電池と軽水素固形窒素ニッケル充電池などの充電池劣化を知らせてくれる電気量センサー装置説明である。ちなみに自動充電池の電池は、交換性としか現在の技術限界である。(37)文字メッセージスイッチとは、テレビ画面及びナビゲイション画面及び風呂場の水中マイク音声認識文字影像パネル画面及びバイクナビゲイション画面及び携帯GPS画面及び駅バス停などの停留所薄型アンテナ情報複数画面パネルなどの文字メーセージ連絡装置説明である。ちなみに画像も送る事が出来るジエスチャ画像送信も可能である。(38)メロデイ受信音選択装置。この場合、超細長い磁気カード装置によって動物のなき声などを、自分流にアレンジしてメロデイ受信音とした一例を挙げて置く。(39)留守番電話機能は、インターネット留守番電話システムを現在使用している。(40)災害時お知らせ機能は、インターネットで災害情報を伝える装置説明とする。(42)カード情報機能は、カードの種類情報をイターネット上で公開する手段説明を言う。(43)ゲーム紹介機能は、現在のインターネット機能に存在している機能システムを言う。(44)仕事アルバイトインターネット紹介機能は、まだない機能である。(45)公共サービス外国大使館情報インターネット紹介機能であり(46)ゲームボタンインターネットゲーム機能であり(47)時計機能インターネット時計機能現在は、ない機能で有り、(48)電車バス飛行機時間インターネット早見機能と乗り物選択ボタンで、瞬時に乗り物待ち合わせ時間がわかる機能で有り(49)バイブ機能スイッチ機能であり、(50)天気知らせ絵文字機能であり(51)山菜図鑑インターネット機能で有り(52)外国インターネットショッピング案内機能であり(53)買い物卸値段早見表インターネット機能であり(54)誕生日結婚記念日携帯電話お知らせシステム機能であり(55)スケジュールメモ呼び出し機能であり、(56)地方旅館インターネット早見機能であり(57)インターネットボタンであり、月額の使用料金使用時間の早見表であり(58)JRA馬情報インターネット機能であり(59)お薬個人使用時間インターネット携帯電話お知らせ機能であり(60)リハビリ時間インターねっと携帯電話連絡機能であり(61)携帯電話家電システム作動インターネット点検機能であり(62)水道ガス風呂作動インターネット点検機能であり(63)車作動インターネット点検機能であり(64)ロボット自然調査作動記録インターネツト点検機能などの携帯電話インターネット機能の2001年5月3日の携帯電話先発明及び先考案機能を図面原本紹介と共に公開する事で、弱者国民主体の携帯会社設立の夢を託す事を目的とし、一日でも早い国の全額借金返済と地方つまり都道府県市町村の借金全額返済が出来る道筋の効果を発揮する事を願う事とする。
コメント
2008年6月10日PM23時6分41秒図11と図12を書き忘れのため、戻って再び書き始める墫野 
【００３２】
第10の課題解決手段として(81)機械式発電機の無害無給油の連続ダイナモ作動発電機を使用した二連結以上モーターを使用したリモコン衛生GPS位置確認及び位置自動修正及び
安定位置自動連続モーター運転出来る複数電波送達複数山岳ヘリコプター装置連絡出来る複数の山岳ヘリコプター装置によって、携帯波及び無線波を遠く離れた海上までも、携
帯波及び無線波を衛生GPS位置複数ソナー波全自動変換出来る装置を積載した図11の山岳ヘリコプター説明図矢印部分名称説明とする。
【００３３】
第11の課題解決手段として図12の(21)自動充電池内蔵の(82)GPSアンテナ内蔵の(87)の段数ソナーであり、(3)携帯波アンテナ(すべての電波を変えて使用しても良い。)更に海上
に浮かせるための、(84)の位置GPS自動修正確認昇降二連結以上モータースクリュー装置 及び(85)の位置自動GPS修正二連結以上モータースクリュー 装置によって海上にて山岳
空中全自動位置安定風速計認識複数携帯波電波発射又は複数携帯波又は無線波又は他の電波の複数ソナー波全自動変換の複数電波をキャッチするために(87)海上段数ソナー装置の複数電波又は複数電波ソナー波をキャッチする為のキャッチ体(圧電素子磁石キャッチ体などの他のアンテナ金属)を使用した海上段数ソナー装置説明で有る。次に(87)連結段数ソナーの説明に入る。従って、図12の(87)の連結段数ソナー説明とは、(87)海上段数ソナーは、風の穏やかな空中にGPS位置確認及び位置認識及び位置自動修正及び安定GPS位置認識出来る山岳ヘリコプターは、(81)機械式発電機の電気エネルギーで、24時間連続作動を休まず続ける事の出来る空中電波中継基地で有り、(87)連結段数ソナーは、海中に位置ずけする図12の(87)海上段数ソナー装置の(86)複数ソナー波発射装置から発射される複数ソナー波を海底の海底地図内蔵の無害無給油連続発電機装置積載の全自動ロボットを地上から海底水中ロボットのアンテナカメラを人間のカメラ画像目視確認によって補助作業指
示を地上の電波発信装置つまり、携帯電話を使用して世界で一番深い海底の調査などを水中ロボットを使用して調査を行い今後の世界保護条約などをそれぞれが主張する海域の
保護を含めて考えて行かなければならない事を含めて図12の(87)の段数ソナー装置は、図12の(87)海上段数ソナー装置構造と同じ構造で有り、ここでの二つの段数ソナーの違い
は、海底に一番近い位置で海底ロボットの無線連絡及び携帯連絡するために、図12の一番海上に近い場所を位置取る(87)海上段数ソナーからの複数無線及び携帯波ソナー波は、(8
7)複数の段数ソナーによって、海底深くまで、引き継がれた複数電波ソナー波を、海底のロボットからの海底ロボット地図位置海底ソナー位置連絡装置によって、海底に一番近い(87)段数ソナーのGPS水中ロボット海底GPS地図位置確認によって、水中ロボットへ複数無線波及び複数携帯波全自動連絡する事によって、地上からでも、水中ロボットの地上携帯
電話水中ロボット操作が出来る多機能携帯電話装置。
【発明の効果】
【００３４】
上述したように本先知的所有財産の先発明によって多機能携帯電話は、自動充電池と自動電池更に炭素シリコン軽水素ニッケルソーラーパネルの補助電源装置によって多機能携
帯システム全体の電源と電気確保が出来たため、24時間無外部充電のフル作動出来る多機能携帯電話を提供出来る多機能携帯電話装置。
コメント              
2008年6月11日真夜中PM24時46分34秒何とかここまで明日終わらせる携帯電話装置。
コメント
2008年6月11日AM8時5分37秒後もう少しがんばらなくては、大変である。美馬牛カンキチ
2008年6月11日AM8時5分の続きとして介護用の床据え付け用全自動掃除機吸引装置のみの場合、暖房冷房の風の出入り口として、電動仕切り弁を使用して、吸引装置内の汚れなど
をスクリュー官によって、取り除く装置でもあって、いつでも介護に対して良い空気を提供出来る。 ロボット家庭全自動掃除機においては、全自動で、全自動掃除機の官の中をスクリュー水によって掃除して、ゴミは、全自動で捨てて、掃除機のサイド吸引口によって、空気清浄器として、掃除機が休眠中は自動充電池電源などで、全自動空気清浄を行える装置。
【図面の簡単な説明】
【００３５】
【図１】携帯電話補助ダブル映像パネル構造図
【図２】2連超小型MDなどの多機能携帯電話構造説明図
【図３】多機能携帯電話説明図
【図４】多機能アタッチメント説明図
【図５】多機能携帯電話インターネットボタン説明図
【図６】携帯電話携帯波連絡災害防止確認装置図
【図７】ガス映像パネル説明図
【図８】ガス映像パネルサイドライト説明図
【図９】ガス映像パネル説明図
【図１０】ガス映像パネルサイドライト説明図
【図１１】山岳ヘリコプター電波中継空中基地装置
【図１２】海上水中段数複数電波複数ソナー波送受信装置(水中ロボット装置)コメント2008年6月12日昼PM12時18分58秒山菜フキラーメン コーラ飲食後大雪は、晴れ反対側は、薄す曇りから曇り模様、雨道の大雪は、晴れだから雨は直ぐに来ないただし反対側の曇りに対して磁波の状態が乱れているのならば、雷が近いそして、雲の流れ雲の安定時間などの水分の比例反比例の活断層年代地層の水の移動歴史データーと現在の活断層データーの比較値を速めに作って磁波観測装置を車全車に無料で取り付けて地震予知計測を携帯電話で、出来る日を夢見るカンキチ。
【図１３】北海道道庁広報広聴第3ー37号先発明原本を当時の堀たつや知事に確認していただた先発明原本の証拠の郵便物受理書
【図１４】2001年4月30日北海道民財産として、永久電池現在の自動電池及び自動充電池及び機械式発電機の作動方法を、説明した原本で有り、この永久電池の基は、手振り式の薄いダイナモの振り子ダイナモを改良した発電地先考案と機械式発電機先考案であった発電方法だが、2001年2月15日か2月16日の先考案であったが原本は、何一つ書かなかった時期が、2001年2月上旬から、2001年4月29日頃までの先考案原本としては、何一つ書いてなかった事実をここで、説明しておきます。更に、2001年6月から8月にかけての、先考案原本は現場仕事が忙しいため、書き残せなかったり書き忘れが多い時期としては、2001年この時期の原本不在は、何百件の先考案としても有ります。 世の中が、騒がしくなったため、2001年9月頃から先考案先発明の年月日時間書き込みは、この頃から始まった事実説明です。
【図１５】2001年5月3日北海道民財産として、超薄型の画像装置と永久電池を使用したブレスレット携帯電話のデザイン説明原本である。
【図１６】2001年5月3日北海道民財産として14項目に亙る先発明携帯機能説明である。この当時北海道の弱者国民によって、携帯会社を建てて北海道の借金全額返済の会社設立を考えていた頃の携帯電話先発明先考案原本である。
【図１７】2001年5月3日北海道民財産として、介護電話を目指していた頃で有り情報の出入力を、インターネット電話で、処理するために13項目に亙って先発明携帯機能説明である。この当時北海道庁の借金返済の為に携帯会社設立を考えていた先発明原本の事実説明原本。
【図１８】2001年5月5日北海道民財産として、小型携帯電話装置を備えた小型リモコンヘリコプター装置による遭難者の携帯電話中継の救出方法を、文章化した文字説明図。
【図１９】2001年8月27日北海道庁広報広聴第3ー187号2001年8月27日の先発明原本の受理書の写し
【図２０】2001年6月2日岩内トンネル工事の時に書き留めて有った先発明原本証明書。
【図２１】2002年9月26日北海道庁広報広聴第3ー183号先発明原本受理書の写し
【図２２】2002年9月19日栃木県真岡市で圧電素子4電子分割装置の先発明説明をした原本図面
【図２３】2002年10月9日北海道庁広報広聴第3ー193号先発明原本受理書の写し
【図２４】2002年10月17日栃木県真岡市郵便局から出した封筒の写し一部分他にも存在する。
【図２５】2002年9月27日栃木県真岡市で1999年当時のIDO電話会社の返信用葉書に手振り式の振り子の薄いダイナモ発電装置を手の振り、体の揺れを応用したダイナモ作動発電機の作動エネルギーで、発電した電気を、半分の電池に充電する発電充電方法の携帯電池の有り方説明の日付など、19項目に亙る先考案先発明日を記した文章図面。
【図２６】2002年9月27日栃木県真岡市で、2002年9月27日一戸建ての家又はビルシステムなどの電気ライトアップシステムの携帯電話インターネット操作によるライトスイッチの携帯電話スイッチシステムなど、25項目に亙る先考案先発明日を記した文章図面。
【図２７】2002年10月2日栃木県真岡市で、テレビ映像ネオンガスと充電池素子体を合成した物質によるビデオ両面テープ録画再生方式とデジタル画像補助素子体説明。
【図２８】2002年10月5日栃木県真岡市でテレビ画像素子ネオンガスと充電池素子の合成と圧電素子4電子磁気分割装置の電気抵抗の取り除いた電気の使用方法を説明した図面。
【図２９】2000年頃当時の堀辰也知事宛てに木白子のペンネームで、陳情書を書いて出したがこの当時返事が、なかったのもペンネーム使用のためである。そのため、2008年6月12日道政相談センターの石川殿宛てに先考案先発明原本の証明をしてもらうため、本先知的所有財産が、書き終わり次第北海道庁に送る予定です。障害者向けの携帯インプット電話の概要説明と携帯電話の大文字と携帯電話の発生音をスローにして聞きやすいようにしたスピーカー音声のスロー方式とソーラーパネルマイクの概要デザイン説明。
【図３０】2000年頃当時堀辰也知事宛てに出した北海道の借金返済予定にしてあった障害者用の携帯電話の充電池の充電方法の改善として半層充電池の手振りダイナモ充電とソーラーパネル充電の二つの充電方法を取り入れた携帯電話の充電方法の説明文字図面である。
【図３１】平成15年1月6日岩手県胡四王簡易郵便局から墫野和夫の先知的所有財産の確認の為に東京都日本消費者連合殿へ送ったゆうパック領収書
【図３２】平成15年1月6日岩手県胡四王簡易郵便局から墫野和夫の先知的所有財産の確認の      為に東京都NHKふれあいセンーター殿へ送ったゆうパック領収書
【図３３】平成15年1月6日岩手県胡四王簡易郵便局から墫野和夫の先知的所有財産の確認の為にアムネスティインターナショナル支部殿へ先知的所有財産を送ったゆうパック領収書
【図３４】平成15年1月6日岩手県胡四王簡易郵便局から墫野和夫の先知的所有財産の確認の為に東京都日本共産党委員会志位和夫殿へ先知的所有財産を送ったゆうパック領収書
【図３５】平成15年3月末日岩手県胡四王簡易郵便局から墫野和夫の先知的所有財産の確認の為に東京都社民党本部土井高子殿へ先知的所有財産を送ったゆうパック領収書
【図３６】平成16年1月4日旭川市中央郵便局から墫野和夫の先知的所有財産の確認の為に東京都民主党本部民主党党首殿へ先知的所有財産を送ったゆうパック領収書コメント2008年6月12日PM15時41分29秒ようやく多機能携帯電話の先知的所有財産の知的所有財産本書が出来上がる北海道知事に確認してもらい、弱者国民の携帯会社を北海道知事に協力してもらって立ち上げる考えで有り、経済産業省及び特許庁には、全世界の先行調査をしてもらって、先発明の保護と先知的所有財産の保護を訴えてでも、国の全額借金と都道府県市町村の借金全額返済事業化の設立へのための、先発明確認の第一歩を歩む事とする。
【発明を実施するための形態】
【００３６】
以下本先知的所有財産先発明の試作実施の形態を図1~図12に基ずいて説明する。
【００３７】
図1に於いて(1)は、多機能携帯電話であり(2)新しい発想の携帯電話補助ダブル映像パネル装置であり、二組の別配線の蝶々デザインの映像パネルは、(6)補助ダブル映像映像パネル電動カバーは、(5)超小型レールモータによって蝶々の羽型の二組の蝶々型映像パネルが、見える構造になっており、映像とメールだけが、見る事の出来る装置である。
更に、(3)は、携帯アンテナAで有り、(4)携帯アンテナBで有り、これら装置は、(2)携帯電話補助ダブル映像パネルそれぞれのメールと映像を送るための(3)の携帯アンテナAと(4)携帯アンテナBである。
更に、(79)は、炭素シリコン軽水素ニッケルソーラーパネルで有り、(1)多機能携帯電話の補助電源システムである。
【００３８】
図2に於いて(21)は自動充電池で有り、(8)は2連超小型MDの映像と音声の録音再生出来る超小型であって、超薄型のレールモーターで有り、(9)超細ロング磁気カードは、料金の高いインターネット料金を打開するために、考えられた磁気ロングカードで有り、(21)の自動充電池の電源で磁気電波読み込み装置であり、電波を送って帰って来た電波を超小型電波磁気デスク及び超小型電波磁気ドラムなどによって電波磁気を読み込む装置によって映像と音声がそれぞれの装置によって再生される携帯電話構造上のため、超小型映像音声
再生のみの装置。
更に、(22)は、バイブレイションは、昔からある装置で有り、これら(1)携帯電話多機能装置の電気消費を少しでも押さえる用に(23)の圧電素子4電子磁気分割装置によって、(1)多機能携帯電話装置の電源電気の確保に努める。
更に、(7)二つ折れガス映像パネルは、(3)携帯電話アンテナAで有り、(4)携帯電話アンテナBで有り(7)の二つ折れガス映像パネルは、二つの別々の画像と音声を送受信する事が出
来る装置。
更に、(11)は、画面切り替えボタンで有り、(34)のカメラスイッチボタンから(64)のロボット点検ボタンまでのボタンを切り替える事の出来るボタンスイッチで有り、(12)アドレスボタンで有り、(13)はメールボタンで有り、(14)はゲーム切り替えボタンで有り、インターネットゲームなども二本アンテナ多機能携帯は、電話をしながらのゲームまでも、可能にしてしまった。
更に、(15)は携帯電話マイクで有り、(16)はゲーム左移動操作ボタン(17)はゲーム上移動操作ボタン(18)は、ゲームジャンプ操作ボタン(19)ゲーム下移動操作ボタン(20)ゲーム右
移動操作ボタンで有り、(16,~20,)は、ゲーム操作ボタンである。 
【００３９】
図3に於いて(7)は二つ折れガス映像パネルであり、(8)は、2連超小型MDで有り、(9)は超細ロング磁気カードで有り(10)二つ折れガス映像パネルを支えている蝶番装置である。
更に、(24)スピーカーで有り、(1)多機能携帯電話の(21)自動充電池の端に(25)の自動充電池多機能装置のプラス電極及び(26)は自動充電池多機能装置のマイナス電極で有り(27)は、多機能携帯電話のアタッチメントの電気カミソリ刃で有り、(28)は電気カミソリモーターで有り、(29)は、電気カミソリモーター固定装置部分である。
【００４０】
図4に於いては、(1)多機能携帯電話装置のアタッチメントモーター歯ブラシ装置で有り、(25)自動充電池多機能装置プラス電極で有り、(26)は自動充電池多機能装置マイナス電極
で有り、(30)電気歯ブラシアタチメントブラシ部分装置で有り、(31)電気歯ブラシモーター軸柄装置で有り、(32)電気ハブラシモーターで有る。
従って、図4の右図は、(1)多機能携帯電話の全体の概略構造説明図で有る。
2008年6月11日AM11時47分27秒昼食にする美馬牛カンキチである。
2008年6月11日PM昼12時40分57秒野菜痛め食べ食器洗い午後の知的所有財産書きの墫野。
【００４１】
図5に於いて(1)多機能携帯電話の(34)~(64)の携帯多機能装置のボタン説明になる。
従って、図5の(34)は、カメラスイッチで有り、2001年2月上旬ただの携帯装置取り付けカメラから始まって今回のカメラは、前後を一度に写し更に磁気テープストックまたは(9)磁気カードストック(8)2連超小型MDの画像音声の録音録画再生を目的としている装置機能で有り、(35)は、住所本体記録装置に個人情報の公開分スイッチで有り、(36)自動充電池電気量本体記録装置確認スイッチ機能で有り(37)は、文字メッセージインターネット及び文字携帯波連絡装置スイッチ機能で有り、(38)メローデイ受信音本体記録選択機能(39)留
守番本体記録及び留守番電話記録センター電話記録機能で有り、(40)災害時インターネットお知らせスイッチ機能で有り(41)芸能人情報インターネットボタンスイッチ機能で有
り、(42)カード情報インターネット検索装置スイッチボタン機能装置で有り(43)ゲーム紹介インターネット及びカードによる紹介スイッチボタン装置機能で有り(44)仕事アルバ
イト紹介インターネットスイッチボタン機能で有り(45)公共外国大使館紹介インターネットスイッチボタン機能で有り(46)ゲームインターネットスイッチボタン機能で有り(47
)時計インターネットスイッチボタン機能で有り(48)電車バス飛行機バス時間早見ボタンスイッチ機能で有り(49)バイブ本体システムスイッチボタン機能で有り(50)天気お知ら
せ絵文字インターネットスイッチボタン機能で有り(51)山菜図鑑インターネットスイッチボタン機能で有り、(52)外国ショッピングインターネット案内スイツチボタン機能で有
り(53)買い物卸値段早見ボタンスイッチ機能で有り(54)誕生日結婚記念日本体記録及びインターネットボタンスイッチ機能で有り(55)スケジュールメモ磁気カード及び本体ス
トック機能で有り(56)地方旅館カード及びインターネットスイッチボタン機能で有り(57)インターネツトスイッチボタン機能で有り(58)JRA馬情報スイッチボタン機能で有り(5
9)お薬個人情報インターネットお知らせ機能で有り(60)リハビリ時間連絡スイッチボタン機能で有り(61)携帯電話家電システム作動点検スイッチボタン機能で有り(62)水道ガ
ス風呂点検インターネットスイッチボタン機能で有り(63)車作動システムインターネツト情報装置及び本体データー点検ボタン(64)ロボット観察作動記録インターネット情報
装置記録点検ボタン装置で有り(1)多機能携帯電話装置(3,4,)は携帯電話アンテナ装置A,B,で有り、(7)は二つ折れガス映像パネルで有り(8)2連超小型MDで有り(9)超細ロング磁
気カードで有り(33)9画面携帯装置で有りこれら装置は、(1)多機能携帯電話装置のシステム概要説明である。
コメント
2008年6月11日PM14時19分40秒にわか雨美馬牛朝の内、晴れそして微風どうやら大雪の雪すべてが消えない限り、澄み切った天気と本格的夏は、望めないのだろう問題は、これから将来の事裁判をかけてでも、全部の日本商品の知的所有財産番号は、一度公開した物すべてを公開しなければ企業側は、誰がいつどの様にして発明したのかは、語らないまま先発明の財産確定に対して莫大な金を持ってしか確認出来ない現状に対しても全員の裁判官の発言を求める事とする。
コメント
2008年6月11日PM14時38分31秒部屋の空き缶を捨てに行く漸く曇りから晴れ、気分転換に美馬牛塚崎ビバホームへビール3本買い入れに向かうカンキチである。
2008年6月11日PM14時55分10秒SPOの生何年ぶり、元気付けにいただく事とする。大雪麓付近は、残雪のためか、すっかり曇りだが、美馬牛市街地は、太陽の日差しが夏気分で有る。
美馬牛駅トロッコ電車が、目に付いた将来は、アルミニュウム製の水発電機か沸騰水制御発電機を、乗せた電車走らせる夢をきっと実現して見せる。家の周りの草むしりには、どうやら二日かかりそうだが、後になりそうである。APOは、350少し多い気がする。PM15時5分46秒超スローの知的所有財産書きを再び始める美馬牛カンキチ。
【００４２】
図6の説明を再び始める。
図6の図は、図5でも少し説明した水道とガスと風呂の水道水とガス風呂水をアンテナ携帯波電気スイッチでモーター仕切り弁を作動させて携帯電話ボタンスイッチ作動開閉出来
る装置説明である。
従って(65)は携帯電話総受信アンテナ電気スイッチ装置で有り、(66)は、レールモーターで有り、(67)は、モーター電動仕切り弁装置で有り、岩石崩壊予知連絡装置図では、(65)携電話携帯電波自動電池電源送受信アンテナ装置で有り(68)は自動充電池の取り付け位置説明図である。
コメント
2008年6月11日PM15時20分20秒SAPのOROは、少し効いたようだ家の周りの客人も、仕事が忙しくて付き合ってもらえそうもない。
とりあえず図7~図12まで、終わらせなければならない。
【００４３】
図7の説明を始める。(69)ガステレビサイドライトAで有り(70)は、ガステレビサイドライトBで有る。これらライトシステムは、シャープ社のバックライトシステムとは異なったテレビ画像ライトシステムになる。
確かにシャープ製のバックライト方式より、技術は、劣るのも言うまでもない。
更に、(71)は固形窒素ネオンガス合成映像パネルは、固形窒素とネオンガスと電気の通るプラスチックを融合合成させたネオンガス合成の映像固形パネルとネオンガス融合によ
る、(73)映像信号のプラス電気偏向回路電波信号配線の(71)固形窒素ネオン合成映像パネル接続と(74)映像信号マイナス電気偏向回路電波信号の(75)クリスタルガラスの端へ
(72)透明の電気の通るプラスチックを(75)クリスタルガラスの端へ溶着し(74)の映像信号マイナス電気偏向回路電波信号配線と(73)映像信号のプラス電気偏向回路電波信号配
線に電波電気を流す事で(89)ネオンガスと(71)固形窒素ネオン合成映像パネルネオンガス映像電波電気融合によって、更に(69,70,)のサイドライト照射によって、画像を写す事
の出来る装置。
コメント
2008年6月11日PM16時8分15秒麦茶と梅湯を飲む風は、少し強まった感じ後5図の説明この後は、ナビゲイションを、2001年先発明原本に基ずいて書く予定少し頑張ろうカンキチ墫
野。
【００４４】
図8の説明を始める。(69,70,)のサイドライト方式は、シャープ社のバックライト方式及びゼネララル社の中央真空管ライト方式などの技術が有名だが、サイドライト方式だけで
は、電気の玉数を多くしなければならない対策として、図8に掲げる新しいライト方式で挑戦する事とする。
従って、(70)ガステレビサイドライトBは、(76)サイドライト鏡部分装置(77)サイドライトガラス部分で有り、(78)サイドライトテングステンは、劣化が、激しいため、他の電球と交換しなければならない状態なのも、視野におかなければならない。
コメント                                                        
2008年6月11日PM16時36分25秒大雪の霧が少しずつ風でなくなりつつ有ったが、初夏の天候も戻りつつ有る。図8及び図9が、全世界の特許庁にない事を、願うだけで有る。ビール官一本とコップ管二つ資源ゴミとして捨てに行く美馬牛カンキチ墫野PM17時0分34秒少し貯まり過ぎていたビン類で有るが何とか処理、割れたのが2本だけ残し初夏の中再び書き始める。
【００４５】
図9の説明を始める。
従って、(75)クリスタルガラスの画像カバーガラスと(71)の固形窒素ネオン合成映像パネルに映像信号として、(73)偏向回路プラス電波配線として、更に(74)偏向回路マイナス電
波配線を(71)固形窒素ネオン合成映像パネルに(73)偏向回路プラス映像電気電波配線と(74)偏向回路マイナス映像電気電波配線を取り付ける事と更に(71)固形窒素ネオン合成映像パネルと(75)クリスタルガラスの空間0,8~1.3ミリの間にネオンガスを入れて(73,74,)の偏向回路映像電波電気を、流す事と(80)固形窒素反射ライト玉装置によって、映像が写し出される映像映写技術説明である。
コメント
2008年6月11日PM17時20分29秒初夏のやや強めの初夏の風太陽の恵みなりて後残り3図説明
【００４６】
図10の説明を始める。
従って、(80)は、温度を上げず無駄なく(71)の固形窒素ネオン合成映像パネルのサイドから照らすために考え出された固形窒素反射板ライト玉装置技術説明である。               コメント                    
2008年6月11日PM17時31分34秒窓の日差しも強いどうやら明日は、晴れの様子、朝晴れていれば山菜少しだけ、取って見るそれとも今からウド一本だけ取って来て見る。          
2008年6月11日PM18時8分36秒フキ3本取って来るウドなしである。
2008年6月11日PM18時48分18秒再び山菜ラーメン食後書き始めるカンキチ。
【００４７】
図11の説明を始める。
従って、図11は、山岳ヘリコプター図であり、リモコン式の無害無給油連続作動の機械式発電機又は2連振り子型機械式発電機の連続発電エネルギーを使用して2連結以上モーター
で、プロペラを回転連続作動させて空中に飛ばすだけでなく、(82)空中飛行機GPSアンテナの飛行機空中地上立体ライン地図と空中海底立体ライン地図に基ずく飛行機GPS地図に
よって、リモコン山岳ヘリコプターが安全な空中飛行位置を、GPS空の高さ確認によって、更に上空の風障害のない場所まで、山岳GPS付き電気ヘリコプター位置を、GPS位置確認措置によって、無害無給油の連続作動ダイナモ発電機の連続した電気エネルギーによって、空中のGPS位置安定した位置に連続同位置飛行出来る山岳ヘリコプターを複数飛ばして、更に山岳ヘリコプターは、携帯波及び無線波及び他の電波を中継して電波を飛ばす事の出来る装置で有り、更に地上から携帯波を、遥か離れた海上又は地球の反対側の海上までも、複数の山岳ヘリコプターの電波中継の複数山岳ヘリコプターの電波中継技術の連続によって、携帯波などの電波を現在の技術では不可能な電波中継を無害無給油連続ダイナモ回転作動発電電気エネルギーで可能にしたリモコン電気ヘリコプターの山岳ヘリコプター装置。
追伸説明文章として追加説明とする。
図11の山岳ヘリコプター説明図に使用されている(81)機械式発電機の発電量で足らない場合のの対策。
特開2008ー254697号広報と2003ー328925号広報などの無害無給油連続発電機を搭載する場合も有り得る事を追加説明とする。
コメント
2008年6月11日PM19時55分45秒美馬牛の空は、まだ星も見えないが白夜のごとく明るい。
最後の図12の説明だけとなるが、この携帯は、2001年度分の先発明しかワープロには書けない残り3300字の19ページ頑張って終わらせる美馬牛カンキチ
【００４８】
図12の説明に入る。
図11の山岳ヘリコプター説明によって、地上から遥か離れた海上まで、携帯波を届ける事の出来る技術が理解出来た上で、図12の説明を始める。
図の11の山岳ヘリコプターに送られた無線波及び携帯波は、海上の(91)海上GPS段数ソナー波送受信装置の電波キヤッチ体へ携帯波を風のない上空から携帯波を海上に送るわけ
で有るが海上の波が、荒い場合携帯波を複数同時に海上の(91)の海上GPS段数ソナー波送受信装置の電波キャッチ体へ送る第一の作業になりますが、海上に浮いている(91)の海上
GPS段数ソナー波送受信装置は、少し大きめの(21)2連方式の自動充電池を(91)の海上GPS段数ソナー波送受信装置の電気源として使用して(84)水中位置確認GPS昇降二連結以上モ
ータースクリューが4台必要であり、更に位置全自動GPS修正二連結以上モータースクリュー装置を4台必要で有る。理由として、波の速度について行けない理由が上げられる。
発電量不足は、2連振り子自動充電池の台数を増やす事で、電源確保は出来る。
上記説明に於いて、山岳ヘリコプターからの複数携帯波は、(91)の海上GPS段数ソナー波送受信装置に一度複数波携帯電波を送り、(91)の海上GPS段数ソナー波送受信装置に取り付けられている(86)複数携帯波の複数ソナー波変換装置としての(86)複数ソナー波発射装置が備えられているため、海中の長い距離では、(87)水中段数ソナー装置へ一度複数ソナー波を中継する必要性があった。
上記説明の続きとして、複数ソナー波は、(87)の水中段数ソナー装置へ送られた複数携帯波ソナー波を、海底で(92)の全自動水中ロボットへ携帯波補助ロボット操作するための携
帯電波を送る装置説明を始める。
従って、(87)水中段数ソナー装置へ送られた複数携帯ソナー波を海底の(92)水中全自動ロボットに複数携帯波ソナー波を送るため、(87)の水中段数ソナー装置のサイド4ケ所に取
り付けられている(88)複数ソナー波偏向装置によって、90度海底方向へ複数携帯波ソナー波が送られるわけだが、(92)の全自動水中ロボットに備え付けられている海底地図GPSと
(87)の水中段数ソナー装置に備え付けられているGPSこれらは、海底GPS地図位置周囲360度すべてへ海底地図位置をソナー波発射している理由は、(92)の全自動水中ロボットの海
底位置を確認してもらわなければ(92)の全自動水中ロボットへ携帯波又は他の無線波などの電波が送れない事情があるためである。
そのため、(87)の水中段数ソナー装置は、水中ライトカメラによる(92)の水中ロボット確認又は水中ロボットが、放つ複数携帯波ソナー波を(87)の水中段数ソナー装置が、キヤッ
チした時点で(92)全自動水中ロボットの位置確認が完了出来て、地上の携帯電話装置から、(92)の水中ロボットのライトカメラ映像をいつでも楽しむ事の出来る携帯電話水中ロ
ボットライトカメラシステム装置説明とする。
以上のように本試作実施携帯説明によって、今まで不可能だった世界で一番深い海底の水中ライトカメラ映像も一般庶民でも 
【００４９】
以下本先知的所有財産先発明の試作実施の形態を図1~図12に基ずいて説明する。
【００５０】
図1に於いて(1)は、多機能携帯電話であり(2)新しい発想の携帯電話補助ダブル映像パネル装置であり、二組の別配線の蝶々デザインの映像パネルは、(6)補助ダブル映像映像パネル電動カバーは、(5)超小型レールモータによって蝶々の羽型の二組の蝶々型映像パネルが、見える構造になっており、映像とメールだけが、見る事の出来る装置である。
更に、(3)は、携帯アンテナAで有り、(4)携帯アンテナBで有り、これら装置は、(2)携帯電話補助ダブル映像パネルそれぞれのメールと映像を送るための(3)の携帯アンテナAと(4)携帯アンテナBである。
更に、(79)は、炭素シリコン軽水素ニッケルソーラーパネルで有り、(1)多機能携帯電話の補助電源システムである。
【００５１】
図2に於いて(21)は自動充電池で有り、(8)は2連超小型MDの映像と音声の録音再生出来る超小型であって、超薄型のレールモーターで有り、(9)超細ロング磁気カードは、料金の高いインターネット料金を打開するために、考えられた磁気ロングカードで有り、(21)の自動充電池の電源で磁気電波読み込み装置であり、電波を送って帰って来た電波を超小型電波磁気デスク及び超小型電波磁気ドラムなどによって電波磁気を読み込む装置によって映像と音声がそれぞれの装置によって再生される携帯電話構造上のため、超小型映像音声
再生のみの装置。
更に、(22)は、バイブレイションは、昔からある装置で有り、これら(1)携帯電話多機能装置の電気消費を少しでも押さえる用に(23)の圧電素子4電子磁気分割装置によって、(1)多機能携帯電話装置の電源電気の確保に努める。
更に、(7)二つ折れガス映像パネルは、(3)携帯電話アンテナAで有り、(4)携帯電話アンテナBで有り(7)の二つ折れガス映像パネルは、二つの別々の画像と音声を送受信する事が出
来る装置。
更に、(11)は、画面切り替えボタンで有り、(34)のカメラスイッチボタンから(64)のロボット点検ボタンまでのボタンを切り替える事の出来るボタンスイッチで有り、(12)アドレスボタンで有り、(13)はメールボタンで有り、(14)はゲーム切り替えボタンで有り、インターネットゲームなども二本アンテナ多機能携帯は、電話をしながらのゲームまでも、可能にしてしまった。
更に、(15)は携帯電話マイクで有り、(16)はゲーム左移動操作ボタン(17)はゲーム上移動操作ボタン(18)は、ゲームジャンプ操作ボタン(19)ゲーム下移動操作ボタン(20)ゲーム右
移動操作ボタンで有り、(16,~20,)は、ゲーム操作ボタンである。 
【００５２】
図3に於いて(7)は二つ折れガス映像パネルであり、(8)は、2連超小型MDで有り、(9)は超細ロング磁気カードで有り(10)二つ折れガス映像パネルを支えている蝶番装置である。
更に、(24)スピーカーで有り、(1)多機能携帯電話の(21)自動充電池の端に(25)の自動充電池多機能装置のプラス電極及び(26)は自動充電池多機能装置のマイナス電極で有り(27)は、多機能携帯電話のアタッチメントの電気カミソリ刃で有り、(28)は電気カミソリモーターで有り、(29)は、電気カミソリモーター固定装置部分である。
【００５３】
図4に於いては、(1)多機能携帯電話装置のアタッチメントモーター歯ブラシ装置で有り、(25)自動充電池多機能装置プラス電極で有り、(26)は自動充電池多機能装置マイナス電極
で有り、(30)電気歯ブラシアタチメントブラシ部分装置で有り、(31)電気歯ブラシモーター軸柄装置で有り、(32)電気ハブラシモーターで有る。
従って、図4の右図は、(1)多機能携帯電話の全体の概略構造説明図で有る。
コメント
2008年6月11日AM11時47分27秒昼食にする美馬牛カンキチである。
2008年6月11日PM昼12時40分57秒野菜痛め食べ食器洗い午後の知的所有財産書きの墫野。
【００５４】
図5に於いて(1)多機能携帯電話の(34)~(64)の携帯多機能装置のボタン説明になる。
従って、図5の(34)は、カメラスイッチで有り、2001年2月上旬ただの携帯装置取り付けカメラから始まって今回のカメラは、前後を一度に写し更に磁気テープストックまたは(9)
磁気カードストック(8)2連超小型MDの画像音声の録音録画再生を目的としている装置機能で有り、(35)は、住所本体記録装置に個人情報の公開分スイッチで有り、(36)自動充電池電気量本体記録装置確認スイッチ機能で有り(37)は、文字メッセージインターネット及び文字携帯波連絡装置スイッチ機能で有り、(38)メローデイ受信音本体記録選択機能(39)留守番本体記録及び留守番電話記録センター電話記録機能で有り、(40)災害時インターネットお知らせスイッチ機能で有り(41)芸能人情報インターネットボタンスイッチ機能で有り、(42)カード情報インターネット検索装置スイッチボタン機能装置で有り(43)ゲーム紹介インターネット及びカードによる紹介スイッチボタン装置機能で有り(44)仕事アルバ
イト紹介インターネットスイッチボタン機能で有り(45)公共外国大使館紹介インターネットスイッチボタン機能で有り(46)ゲームインターネットスイッチボタン機能で有り(47
)時計インターネットスイッチボタン機能で有り(48)電車バス飛行機バス時間早見ボタンスイッチ機能で有り(49)バイブ本体システムスイッチボタン機能で有り(50)天気お知ら
せ絵文字インターネットスイッチボタン機能で有り(51)山菜図鑑インターネットスイッチボタン機能で有り、(52)外国ショッピングインターネット案内スイツチボタン機能で有
り(53)買い物卸値段早見ボタンスイッチ機能で有り(54)誕生日結婚記念日本体記録及びインターネットボタンスイッチ機能で有り(55)スケジュールメモ磁気カード及び本体ス
トック機能で有り(56)地方旅館カード及びインターネットスイッチボタン機能で有り(57)インターネツトスイッチボタン機能で有り(58)JRA馬情報スイッチボタン機能で有り(5
9)お薬個人情報インターネットお知らせ機能で有り(60)リハビリ時間連絡スイッチボタン機能で有り(61)携帯電話家電システム作動点検スイッチボタン機能で有り(62)水道ガ
ス風呂点検インターネットスイッチボタン機能で有り(63)車作動システムインターネツト情報装置及び本体データー点検ボタン(64)ロボット観察作動記録インターネット情報
装置記録点検ボタン装置で有り(1)多機能携帯電話装置(3,4,)は携帯電話アンテナ装置A,B,で有り、(7)は二つ折れガス映像パネルで有り(8)2連超小型MDで有り(9)超細ロング磁
気カードで有り(33)9画面携帯装置で有りこれら装置は、(1)多機能携帯電話装置のシステム概要説明である。
コメント
2008年6月11日PM14時19分40秒にわか雨美馬牛朝の内、晴れそして微風どうやら大雪の雪すべてが消えない限り、澄み切った天気と本格的夏は、望めないのだろう問題は、これから将来の事裁判をかけてでも、全部の日本商品の知的所有財産番号は、一度公開した物すべてを公開しなければ企業側は、誰がいつどの様にして発明したのかは、語らないまま先発明の財産確定に対して莫大な金を持ってしか確認出来ない現状に対しても全員の裁判官の発言を求める事とする。
コメント
2008年6月11日PM14時38分31秒部屋の空き缶を捨てに行く漸く曇りから晴れ、気分転換に美馬牛塚崎ビバホームへビール3本買い入れに向かうカンキチである。
2008年6月11日PM14時55分10秒SPOの生何年ぶり、元気付けにいただく事とする。大雪麓付近は、残雪のためか、すっかり曇りだが、美馬牛市街地は、太陽の日差しが夏気分で有る。
美馬牛駅トロッコ電車が、目に付いた将来は、アルミニュウム製の水発電機か沸騰水制御発電機を、乗せた電車走らせる夢をきっと実現して見せる。家の周りの草むしりには、どうやら二日かかりそうだが、後になりそうである。APOは、350少し多い気がする。PM15時5分46秒超スローの知的所有財産書きを再び始める美馬牛カンキチ。
【００５５】
図6の説明を再び始める。
図6の図は、図5でも少し説明した水道とガスと風呂の水道水とガス風呂水をアンテナ携帯波電気スイッチでモーター仕切り弁を作動させて携帯電話ボタンスイッチ作動開閉出来
る装置説明である。
従って(65)は携帯電話総受信アンテナ電気スイッチ装置で有り、(66)は、レールモーターで有り、(67)は、モーター電動仕切り弁装置で有り、岩石崩壊予知連絡装置図では、(65)携帯電話携帯電波自動電池電源送受信アンテナ装置で有り(68)は自動充電池の取り付け位置説明図である。
コメント
2008年6月11日PM15時20分20秒SAPのOROは、少し効いたようだ家の周りの客人も、仕事が忙しくて付き合ってもらえそうもない。
とりあえず図7~図12まで、終わらせなければならない。
【００５６】
図7の説明を始める。(69)ガステレビサイドライトAで有り(70)は、ガステレビサイドライトBで有る。これらライトシステムは、シャープ社のバックライトシステムとは異なったテレビ画像ライトシステムになる。
確かにシャープ製のバックライト方式より、技術は、劣るのも言うまでもない。
更に、(71)は固形窒素ネオンガス合成映像パネルは、固形窒素とネオンガスと電気の通るプラスチックを融合合成させたネオンガス合成の映像固形パネルとネオンガス融合によ
る、(73)映像信号のプラス電気偏向回路電波信号配線の(71)固形窒素ネオン合成映像パネル接続と(74)映像信号マイナス電気偏向回路電波信号の(75)クリスタルガラスの端へ
(72)透明の電気の通るプラスチックを(75)クリスタルガラスの端へ溶着し(74)の映像信号マイナス電気偏向回路電波信号配線と(73)映像信号のプラス電気偏向回路電波信号配
線に電波電気を流す事で(89)ネオンガスと(71)固形窒素ネオン合成映像パネルネオンガス映像電波電気融合によって、更に(69,70,)のサイドライト照射によって、画像を写す事
の出来る装置。
コメント
2008年6月11日PM16時8分15秒麦茶と梅湯を飲む風は、少し強まった感じ後5図の説明この後は、ナビゲイションを、2001年先発明原本に基ずいて書く予定少し頑張ろうカンキチ墫野。
【００５７】
図8の説明を始める。(69,70,)のサイドライト方式は、シャープ社のバックライト方式及びゼネララル社の中央真空管ライト方式などの技術が有名だが、サイドライト方式だけで
は、電気の玉数を多くしなければならない対策として、図8に掲げる新しいライト方式で挑戦する事とする。
従って、(70)ガステレビサイドライトBは、(76)サイドライト鏡部分装置(77)サイドライトガラス部分で有り、(78)サイドライトテングステンは、劣化が、激しいため、他の電球と交換しなければならない状態なのも、視野におかなければならない。
コメント                                                        
2008年6月11日PM16時36分25秒大雪の霧が少しずつ風でなくなりつつ有ったが、初夏の天候も戻りつつ有る。図8及び図9が、全世界の特許庁にない事を、願うだけで有る。ビール官一本とコップ管二つ資源ゴミとして捨てに行く美馬牛カンキチ墫野PM17時0分34秒少し貯まり過ぎていたビン類で有るが何とか処理、割れたのが2本だけ残し初夏の中再び書き始める。
【００５８】
図9の説明を始める。
従って、(75)クリスタルガラスの画像カバーガラスと(71)の固形窒素ネオン合成映像パネルに映像信号として、(73)偏向回路プラス電波配線として、更に(74)偏向回路マイナス電
波配線を(71)固形窒素ネオン合成映像パネルに(73)偏向回路プラス映像電気電波配線と(74)偏向回路マイナス映像電気電波配線を取り付ける事と更に(71)固形窒素ネオン合成映像パネルと(75)クリスタルガラスの空間0,8~1.3ミリの間にネオンガスを入れて(73,74,)の偏向回路映像電波電気を、流す事と(80)固形窒素反射ライト玉装置によって、映像が写し出される映像映写技術説明である。
コメント
2008年6月11日PM17時20分29秒初夏のやや強めの初夏の風太陽の恵みなりて後残り3図説明
【００５９】
図10の説明を始める。
従って、(80)は、温度を上げず無駄なく(71)の固形窒素ネオン合成映像パネルのサイドから照らすために考え出された固形窒素反射板ライト玉装置技術説明である。              コメント                    
2008年6月11日PM17時31分34秒窓の日差しも強いどうやら明日は、晴れの様子、朝晴れていれば山菜少しだけ、取って見るそれとも今からウド一本だけ取って来て見る。          
2008年6月11日PM18時8分36秒フキ3本取って来るウドなしである。
2008年6月11日PM18時48分18秒再び山菜ラーメン食後書き始めるカンキチ。
【００６０】
図11の説明を始める。
従って、図11は、山岳ヘリコプター図であり、リモコン式の無害無給油連続作動の機械式発電機又は2連振り子型機械式発電機の連続発電エネルギーを使用して2連結以上モーター
で、プロペラを回転連続作動させて空中に飛ばすだけでなく、(82)空中飛行機GPSアンテナの飛行機空中地上立体ライン地図と空中海底立体ライン地図に基ずく飛行機GPS地図に
よって、リモコン山岳ヘリコプターが安全な空中飛行位置を、GPS空の高さ確認によって、更に上空の風障害のない場所まで、山岳GPS付き電気ヘリコプター位置を、GPS位置確認措置によって、無害無給油の連続作動ダイナモ発電機の連続した電気エネルギーによって、空中のGPS位置安定した位置に連続同位置飛行出来る山岳ヘリコプターを複数飛ばして、更に山岳ヘリコプターは、携帯波及び無線波及び他の電波を中継して電波を飛ばす事の出来る装置で有り、更に地上から携帯波を、遥か離れた海上又は地球の反対側の海上までも、複数の山岳ヘリコプターの電波中継の複数山岳ヘリコプターの電波中継技術の連続によって、携帯波などの電波を現在の技術では不可能な電波中継を無害無給油連続ダイナモ回転作動発電電気エネルギーで可能にしたリモコン電気ヘリコプターの山岳ヘリコプター装置。
追伸説明文章として追加説明とする。
図11の山岳ヘリコプター説明図に使用されている(81)機械式発電機の発電量で足らない場合のの対策。特開2008ー254697号広報と2003ー328925号広報などの無害無給油連続発電機を搭載する場合も有り得る事を追加説明とする。
コメント
2008年6月11日PM19時55分45秒美馬牛の空は、まだ星も見えないが白夜のごとく明るい。
最後の図12の説明だけとなるが、この携帯は、2001年度分の先発明しかワープロには書けない残り3300字の19ページ頑張って終わらせる美馬牛カンキチ
【００６１】
図12の説明に入る。
図11の山岳ヘリコプター説明によって、地上から遥か離れた海上まで、携帯波を届ける事の出来る技術が理解出来た上で、図12の説明を始める。
図の11の山岳ヘリコプターに送られた無線波及び携帯波は、海上の(91)海上GPS段数ソナー波送受信装置の電波キヤッチ体へ携帯波を風のない上空から携帯波を海上に送るわけ
で有るが海上の波が、荒い場合携帯波を複数同時に海上の(91)の海上GPS段数ソナー波送受信装置の電波キャッチ体へ送る第一の作業になりますが、海上に浮いている(91)の海上
GPS段数ソナー波送受信装置は、少し大きめの(21)2連方式の自動充電池を(91)の海上GPS段数ソナー波送受信装置の電気源として使用して(84)水中位置確認GPS昇降二連結以上モ
ータースクリューが4台必要であり、更に位置全自動GPS修正二連結以上モータースクリュー装置を4台必要で有る。
理由として、波の速度について行けない理由が上げられる。
発電量不足は、2連振り子自動充電池の台数を増やす事で、電源確保は出来る。
上記説明に於いて、山岳ヘリコプターからの複数携帯波は、(91)の海上GPS段数ソナー波送受信装置に一度複数波携帯電波を送り、(91)の海上GPS段数ソナー波送受信装置に取り付けられている(86)複数携帯波の複数ソナー波変換装置としての(86)複数ソナー波発射装置が備えられているため、海中の長い距離では、(87)水中段数ソナー装置へ一度複数ソナ
ー波を中継する必要性があった。
上記説明の続きとして、複数ソナー波は、(87)の水中段数ソナー装置へ送られた複数携帯波ソナー波を、海底で(92)の全自動水中ロボットへ携帯波補助ロボット操作するための携帯電波を送る装置説明を始める。
従って、(87)水中段数ソナー装置へ送られた複数携帯ソナー波を海底の(92)水中全自動ロボットに複数携帯波ソナー波を送るため、(87)の水中段数ソナー装置のサイド4ケ所に取
り付けられている(88)複数ソナー波偏向装置によって、90度海底方向へ複数携帯波ソナー波が送られるわけだが、(92)の全自動水中ロボットに備え付けられている海底地図GPSと
(87)の水中段数ソナー装置に備え付けられているGPSこれらは、海底GPS地図位置周囲360度すべてへ海底地図位置をソナー波発射している理由は、(92)の全自動水中ロボットの海
底位置を確認してもらわなければ(92)の全自動水中ロボットへ携帯波又は他の無線波などの電波が送れない事情があるためである。
そのため、(87)の水中段数ソナー装置は、水中ライトカメラによる(92)の水中ロボット確認又は水中ロボットが、放つ複数携帯波ソナー波を(87)の水中段数ソナー装置が、キヤッ
チした時点で(92)全自動水中ロボットの位置確認が完了出来て、地上の携帯電話装置から、(92)の水中ロボットのライトカメラ映像をいつでも楽しむ事の出来る携帯電話水中ロ
ボットライトカメラシステム装置説明とする。
以上のように本試作実施携帯説明によって、今まで不可能だった世界で一番深い海底の水中ライトカメラ映像も一般庶民でも2008年6月11日AM9時13分37秒風呂に入り洗濯物洗い乾燥そして、昨夜の続きを始める。
【符号の説明】
【００６２】
1  多機能携帯電話
2  携帯電話補助ダブル映像パネル装置
3  携帯アンテナA
4  携帯アンテナB         
5  超小型レールモーター
6  補助ダブル映像パネル電動カバー
7  二つ折れガス映像パネル
8  2連超小型MD    
9  超ロング磁気カード
10 携帯蝶番
11 画面切り替えボタン
12 アドレス帳ボタン    
13 メールボタン
14 ゲーム切り替えボタン
15 携帯電話マイク
16 ゲーム左ボタン
17 ゲーム上ボタン
18 ゲームジャンプボタン
19 ゲーム下ボタン
20 ゲーム右ボタン
21 自動充電池A
22 バイブレイション
23 圧電素子4電子磁気分割装置
24 携帯電話スピーカー
25 自動充電池多機能装置プラス電極
26 自動充電池多機能装置マイナス電極                                
27 電気カミソリ刃
28 電気カミソリモーター
29 電気カミソリモーター固定装置
30 電気歯ブラシアタッチメント部分装置
31 電気歯ブラシモーター軸柄
32 電気歯ブラシモーター
33 9画面携帯装置
34 カメラボタンスイッチ機能
35 住所個人情報ボタンスイッチ機能
36 自動電池電気量確認装置
37 文字メッセージボタンスイッチ機能
38 メロデイ受信音選択機能
39 留守番電話機能
40 災害時お知らせボタンスイッチ機能
41 芸能人情報
42 カード情報ボタンスイッチ機能
43 ゲーム紹介ボタンスイッチ機能
44 仕事アルバイト紹介ボタンスイッチ機能
45 公共外国大使館紹介ボタンスイッチ機能
46 ゲームボタンスイッチ機能
47 時計機能
48 電車バス飛行機バス時間早見ボタンスイッチ機能
49 バイブ機能   
50 天気お知らせ絵文字機能
51 山菜図鑑ボタンスイッチ機能
52 外国ショピング案内ボタンスイッチ機能
53 買い物卸値段早見ボタンスイッチ
54 誕生日結婚記念日お知らせシステム機能
55 スケジュールメモ呼び出し機能
56 地方旅館カード早見機能
57 インターネットスイチボタン機能
58 JRA馬情報早見機能
59 お薬個人御知らせ連絡スイッチボタン機能
60 リハビリ時間連絡スイッチボタン機能
61 携帯電話家電システム点検スイッチボタン機能
62 水道ガス風呂点検スイッチボタン機能
63 車点検スイッチボタン機能
64 ロボット点検スイッチボタン機能
65 携帯電波送受信装置アンテナ
66 レールモーター
67 電動仕切り弁装置
68 自動充電池B
69 ガステレビサイドライトA
70 ガステレビサイドライトB
71 固形窒素ネオン合成映像パネル
72 電気の通る透明プラスチック
73 偏向回路プラス電波配線
74 偏向回路マイナス電波配線
75 クリスタルガラス
76 サイドライト鏡部分
77 サイドライトガラス部分
78 サイドライト光り発光部分
79 炭素シリコン軽水素ニッケルソーラーパネル装置
80 固形窒素反射板ライト玉装置
81 機械式発電機
82 GPSアンテナ
83 GPS複数携帯波発射装置
84 GPS昇降スクリュー装置
85 GPS位置修正スクリュー装置
86 GPS複数ソナー波発射装置
87 GPS水中段数複数ソナー波装置
88 GPSソナー波偏向装置
89 ネオンガス
90 GPS水中段数ソナー複数ソナー波キャッチ体
91 GPS海上段数ソナー装置
92 水中ロボット
【図１】
2011205675.tif 000003
【図２】
2011205675.tif 000004
【図３】
2011205675.tif 000005
【図４】
2011205675.tif 000006
【図５】
2011205675.tif 000007
【図６】
2011205675.tif 000008
【図７】
2011205675.tif 000009
【図８】
2011205675.tif 000010
【図９】
2011205675.tif 000011
【図１０】
2011205675.tif 000012
【図１１】
2011205675.tif 000013
【図１２】
2011205675.tif 000014
【図１３】
2011205675.tif 000015
【図１４】
2011205675.tif 000016
【図１５】
2011205675.tif 000017
【図１６】
2011205675.tif 000018
【図１７】
2011205675.tif 000019
【図１８】
2011205675.tif 000020
【図１９】
2011205675.tif 000021
【図２０】
2011205675.tif 000022
【図２１】
2011205675.tif 000023
【図２２】
2011205675.tif 000024
【図２３】
2011205675.tif 000025
【図２４】
2011205675.tif 000026
【図２５】
2011205675.tif 000027
【図２６】
2011205675.tif 000028
【図２７】
2011205675.tif 000029
【図２８】
2011205675.tif 000030
【図２９】
2011205675.tif 000031
【図３０】
2011205675.tif 000032
【図３１】
2011205675.tif 000033
【図３２】
2011205675.tif 000034
【図３３】
2011205675.tif 000035
【図３４】
2011205675.tif 000036
【図３５】
2011205675.tif 000037
【図３６】
2011205675.tif 000038